(57)【要約】      （修正有）【課題】コネクタ本体の耐荷重を向上させる耐荷重強化コネクタを提供する。【解決手段】耐荷重強化コネクタ１００は、コネクタ本体１、少なくとも１つの側辺支持構造２及び複数の垂直固定部材４を含む。コネクタ本体は、回路板２００の第１面２０１に固定される。コネクタ本体の片側に側辺支持構造が一体に成形されて設置され、コネクタ本体が第１面に固定される時、第１面に当接してコネクタ本体を支持する。垂直固定部材は、それぞれコネクタ本体を回路板に固定する。【選択図】図１
0003229937.tif 000002
【実用新案登録請求の範囲】
【請求項１】
回路板の第１面に固定されるコネクタ本体と、
前記コネクタ本体の一側に一体に成形されて設置され、前記コネクタ本体が前記第１面に固定されている時、前記第１面に当接して前記コネクタ本体を支持することに用いられる少なくとも１つの側辺支持構造と、
それぞれ前記コネクタ本体を前記回路板に固定する複数の垂直固定部材と、
を含む、耐荷重強化コネクタ。
【請求項２】
前記コネクタ本体は、相対設置される上面及び底面を有し、前記垂直固定部材は、何れもネジであり、前記垂直固定部材は、それぞれ前記上面から前記コネクタ本体を貫通し、前記底面から出て前記回路板に固定される請求項１に記載の耐荷重強化コネクタ。
【請求項３】
各前記垂直固定部材はさらに螺合柱及びネジを含み、前記螺合柱は、前記回路板に埋め込まれ、前記ネジは、前記コネクタ本体を通過して前記螺合柱に固定接続される請求項１に記載の耐荷重強化コネクタ。
【請求項４】
前記回路板は、前記第１面と相対設置される第２面を更に有し、且つ前記垂直固定部材は、何れもネジであり、前記垂直固定部材は、それぞれ前記第２面から前記回路板を貫通し、前記第１面から出て前記コネクタ本体に固定される請求項１に記載の耐荷重強化コネクタ。
【請求項５】
各前記垂直固定部材は、螺合柱及びネジを更に含み、前記螺合柱は、前記コネクタ本体に埋め込まれ、前記ネジは、前記回路板を通過して螺合柱に固定される請求項１に記載の耐荷重強化コネクタ。
【請求項６】
各前記垂直固定部材は、弾性係合部材を更に含み、前記弾性係合部材は、相対設置される固定接続端及び弾性係合端を有し、前記固定接続端は、前記コネクタ本体に固定接続され、前記弾性係合端は、一体に成形されて前記固定接続端から延伸し、前記回路板に弾性によって係合することに用いられる請求項１に記載の耐荷重強化コネクタ。
【考案の詳細な説明】
【技術分野】
【０００１】
本考案は、コネクタに関し、特に、側辺支持構造と垂直固定部材を使用して耐荷重容量を強化する耐荷重強化コネクタに関する。
【背景技術】
【０００２】
近年、ｅ‐スポーツ産業の活発な発展により、プレーヤーのコンピュータホストのパフォーマンスに対する要求はますます高まっており、コンピュータのパフォーマンスを最も向上させることができる装置は、グラフィックカードを主とし、高性能なグラフィックカードは通常、大きな面積のアルミヒートシンク及び複数のファンを取り付けてグラフィックカードの処理チップの放熱を補助するため、グラフィックカードのサイズが大きくなるだけでなく、グラフィックカード全体の重量も大幅に増加する。
【０００３】
上記のように、既存のグラフィックカードの取り付け方法は、依然としてＰＣＩ‐Ｅインタフェースを主とし、即ち、グラフィックカードはマザーボードのＰＣＩ‐Ｅスロットに挿入され、グラフィックカードのサイズと重量の大幅な増加に対応するために、既存の改善方法は、主にデュアルスロット（Dual Slot）方法を使用して、グラフィックカードの重量を２つのスロットに分散させている。
【０００４】
但し、静的な使用環境では、デュアルスロット方式はグラフィックカードを有効に支持することができるが、業者がグラフィックカードを取り付けた状態でホスト全体を運搬する時、グラフィックカードはマザーボードに対して垂直に伸びて存在するため、ＰＣＩ‐Ｅのインタフェースを介してのみ接続され、そのため、ホストが直立設置されているか、水平設置されているかに関わらず、ホストが明らかな振動又は揺動を受けさえすれば、グラフィックスカードはＰＣＩ‐Ｅスロットを支点として大幅な振動を発生し、更に、ＰＣＩ‐Ｅスロットがマザーボードから根ごと抜かれ、計り知れない損失を招く。
【先行技術文献】
【特許文献】
【０００５】
【特許文献１】特開２０１９−７４９９２号公報
【特許文献２】実用新案登録第３２２２５６０号公報
【考案の概要】
【考案が解決しようとする課題】
【０００６】
従来技術において、既存のディスプレイカードの取り付け方法はほとんどがＰＣＩ‐Ｅインタフェースの挿入接続方式で接続され、ディスプレイカードのサイズと重量はパフォーマンスとともに増加し、一般的な静的な使用環境では、デュアルスロットはグラフィックカードを有効に固定できるが、グラフィックカードがマザーボードに取り付けられた状態でホストと共に運送される時、ホストが運送の過程で顕著な振動又は揺動を受けさえすれば、グラフィックカードがマザーボードに対して激しく振動してＰＣＩ‐Ｅスロットがマザーボードから根ごと抜かれる可能性があることに鑑み、本考案の主な目的は、構造を強化する設計によってコネクタ本体の耐荷重の能力を向上させることができる耐荷重強化コネクタを提供することである。
【課題を解決するための手段】
【０００７】
本考案が、従来技術の問題を解決するために採用する必要技術手段は、コネクタ本体、少なくとも１つの側辺支持構造及び複数の垂直固定部材を含む耐荷重強化コネクタを提供することである。
【０００８】
コネクタ本体は、回路板の第１面に固定される。コネクタ本体の片側に少なくとも１つの側辺支持構造が一体に成形されて設置され、コネクタ本体が第１面に固定される時、第１面に当接してコネクタ本体を支持することに使用される。複数の垂直固定部材は、それぞれコネクタ本体を回路板に固定する。
【０００９】
上記の必要技術手段から派生した従属技術手段において、コネクタ本体は、相対設置される上面及び底面を有し、且つ垂直固定部材は、何れもネジであり、垂直固定部材は、それぞれ上面からコネクタ本体を貫通し、底面から出て回路板に固定される。
【００１０】
上記の必要技術手段から派生した従属技術手段において、各垂直固定部材は、螺合柱及びネジを更に含み、螺合柱は、回路板に埋め込まれ、ネジは、コネクタ本体を貫通して螺合柱に固定される。
【００１１】
上記の必要技術手段から派生した従属技術手段において、回路板は、第１面と相対設置される第２面を更に有し、且つ垂直固定部材は、何れもネジであり、垂直固定部材は、それぞれ第２面から回路板を貫通し、第１面から出てコネクタ本体に固定される。
【００１２】
上記の必要技術手段から派生した従属技術手段において、各垂直固定部材は、螺合柱とネジを更に含み、螺合柱はコネクタ本体に埋め込まれ、ネジは、回路板を貫通して螺合柱に固定される。
【００１３】
上記の必要技術手段から派生した従属技術手段において、各垂直固定部材は、弾性係合部材を更に含み、弾性係合部材は、相対設置される固定接続端及び弾性係合端を有し、固定接続端は、コネクタ本体に固定接続され、弾性係合端は、一体に成形されて固定接続端から延伸し、回路板に弾性によって係合されることに用いられる。
【考案の効果】
【００１４】
前述のように、本考案の耐荷重強化コネクタは、コネクタ本体の側辺に側辺支持構造が設けられ、垂直固定部材を用いてコネクタ本体を回路板に固定するため、本考案は、側辺支持構造を使用してコネクタ本体を支持するだけでなく、更に垂直固定部材によってコネクタ本体と回路板との間の接続の強度を高め、更にコネクタ本体の耐荷重の能力を向上させる。
【図面の簡単な説明】
【００１５】
【図１】本考案の第１好適実施形態によって提供される耐荷重強化コネクタの斜視説明図である。
【図２】本考案の第１好適実施形態によって提供される耐荷重強化コネクタの平面説明図である。
【図３】図１のＡ−Ａ断面説明図である。
【図４】本考案の第２好適実施形態によって提供されるコネクタ本体の断面説明図である。
【図５】本考案の第３好適実施形態によって提供されるコネクタ本体の断面説明図である。
【図６】本考案の第４好適実施形態によって提供される耐荷重強化コネクタの斜視説明図である。
【図７】本考案の第５好適実施形態によって提供される耐荷重強化コネクタの斜視分解説明図である。
【図８】本考案の第５好適実施形態によって提供される耐荷重強化コネクタの斜視説明図である。
【図９】図８のＢ−Ｂ断面説明図である。
【考案を実施するための形態】
【００１６】
本考案が採用する具体的実施形態について、以下の実施形態及び図面によって更に説明する。
【００１７】
図１〜図３を参照し、図１は、本考案の第１好適実施形態によって提供される耐荷重強化コネクタの斜視説明図である。図２は、本考案の第１好適実施形態によって提供される耐荷重強化コネクタの平面説明図である。図３は、図１のＡ−Ａ断面説明図である。図１〜図３に示すように、耐荷重強化コネクタ１００は、コネクタ本体１、２つの側辺支持構造２、３及び２つの垂直固定部材４、５を含む。耐荷重強化コネクタ１００は、回路板２００に固定することに用いられ、回路板２００は、相対設置された第１面２０１と第２面２０２を含む。
【００１８】
コネクタ本体１は、上面１１、底面１２、２つの側面１３、１４及び２つの端面１５、１６を有し、且つコネクタ本体１は、２つの延伸固定構造１７、１８及び係止部材固定スタンド１９を更に含む。
【００１９】
上面１１及び底面１２は、互いに相対設置され、且つ上面１１は、スロット１１１を開設し、２つの側面１３、１４は、それぞれ上面１１と底面１２に隣接し、且つ上面１１、底面１２及び２つの側面１３、１４は、それぞれ第１方向Ｄ１に沿って延伸する。２つの端面１５、１６は互いに相対設置され、それぞれ２つの側面１３、１４に隣接する。本実施形態では、コネクタ本体１は、ＤＩＰ（dual in-line package、デュアルインラインパッケージ）タイプのコネクタであるため、底面１２は、複数のピン１２１を更に突出し（図では１つのみを示す）、回路板２００は、実務上、ピン１２１に対応する複数の電気的接続孔（図示せず）が設けられる。
【００２０】
延伸固定構造１７は、端面１５から第１方向Ｄ１の逆方向に沿って一体に成形されて突出し、延伸固定構造１８は、端面１６から第１方向Ｄ１に沿って一体に成形されて突出する。延伸固定構造１７は、固定孔１７１が開設され、且つ延伸固定構造１８は、同様に固定孔１８１が開設される。係止部材固定スタンド１９は、端面１６から第１方向Ｄ１に沿って一体に成形されて突出し、係合部材（図示せず）を枢着固定させることに用いられる。
【００２１】
側辺支持構造２、３はそれぞれコネクタ本体１の側面１３、１４に一体に成形されて接続され、側辺支持構造２、３をコネクタ本体１の両側に設置させる。そのうち、コネクタ本体１を回路板２００の第１面２０１に固定する時、側辺支持構造２、３は、それぞれ第１面２０１に当接され、コネクタ本体１は側辺支持構造２、３の支持を受けてコネクタ本体１を回路板２００に固定する安定性を向上させる。
【００２２】
垂直固定部材４、５は、それぞれコネクタ本体１を回路板２００に固定することに使用される。このうち、本実施例の垂直固定部材４、５は、何れもネジであり、固定孔１７１、１８１は、何れもネジに対応するネジ孔であり、コネクタ本体１は、第１方向Ｄ１と垂直な第２方向Ｄ２に沿って回路板２００に近接し、第１面２０１に設置され、且つ垂直固定部材４は、第２面２０２から第２方向Ｄ２の逆方向に沿って回路板２００を貫通し、第１面２０１から出て、延伸固定構造１７の固定孔１７１に更に螺合されて固定され、垂直固定部材５は、同様に第２面２０２から第２方向Ｄ２の逆方向に沿って回路板２００を貫通して第１面２０１から出て、更に延伸固定構造１８の固定孔１８１に螺合されて固定される。なお、図２は、耐荷重強化コネクタ１００の側面から見た平面図であるが、垂直固定部材４がコネクタ本体１の固定孔１７１に螺合されて固定されることを明確に示すため、垂直固定部材４を透視的に表示している。
【００２３】
上述のように、本実施形態の耐荷重強化コネクタ１００は、側辺支持構造２、３を使用してコネクタ本体１を支持し、コネクタ本体１の両側の安定性を向上させ、その後、垂直固定部材４、５を使用して回路板２００を固定し、コネクタ本体１の回路板２００に垂直な方向の安定性を向上させ、それにより、コネクタ本体１のスロット１１１が重量の比較的重いグラフィックカードを挿入設置している時も側辺支持構造２、３、及び垂直固定部材４、５の設定によってコネクタ本体１と回路板２００との間の接続強度を強化することができ、コネクタ本体１が挿入設置されたグラフィックカードの動きを受けて回路板２００から分離することを有効に防止することができる。
【００２４】
続いて図３及び図４を参照し、図４は、本考案の第２好適実施形態によって提供されるコネクタ本体の断面説明図であり、図３及び図４に示すように、本考案の第２好適実施形態は、耐荷重強化コネクタ１００ａを更に提供し、耐荷重強化コネクタ１００ａは、上記の耐荷重強化コネクタ１００と類似し、その差異は、垂直固定部材４ａが螺合柱４１ａとネジの垂直固定部材５ａを含むこと、及び垂直固定部材５ａが螺合柱５１ａとネジ５２ａを含むことにある。
【００２５】
上記を受けて、螺合柱４１ａは、コネクタ本体１ａに含まれる延伸固定構造１７ａの固定孔１７１ａに埋め込まれ、螺合柱５１ａは、コネクタ本体１ａに含まれる延伸固定構造１８ａの固定孔（図示せず）に埋め込まれ、これにより、ディスプレイカードがコネクタ本体１ａに挿入され、係止部材固定スタンド１９ａに設置される係合部材を用いて固定される時、第１好適実施形態の垂直固定部材４、５がそれぞれ固定孔１７１、１８１に固定される場合に比較し、本実施形態のネジ４２ａ、５２ａは、それぞれ螺合柱４１ａ、５１ａに固定され、垂直固定部材４ａ、５ａがコネクタ本体１ａ及び回路板２００に固定される安定性を有効に向上させる。
【００２６】
続いて図４及び図５を参照し、図５は、本考案の第３好適実施形態によって提供されるコネクタ本体の断面説明図である。図４及び図５に示すように、本考案の第３好適実施形態は、耐荷重強化コネクタ１００ｂを更に提供し、耐荷重強化コネクタ１００ｂは、上記の耐荷重強化コネクタ１００ａと類似し、コネクタ本体１ｂは、同様に、２つの延伸固定構造１７ｂ、１８ｂ及び係止部材固定スタンド１９ｂを有し、その差異は、主に垂直固定部材４ｂ、５ｂ及び上記垂直固定部材４ａ、５ａが異なることである。
【００２７】
上記を受けて、本実施形態では、垂直固定部材４ｂは、螺合柱４１ｂとネジ４２ｂを含み、垂直固定部材５ｂは螺合柱５１ｂとネジ５２ｂを含むが、本実施形態の螺合柱４１ｂと螺合柱５１ｂは、それぞれ回路板２００に埋め込まれ、ネジ４２ｂ、５２ｂは、第２方向Ｄ２に沿ってそれぞれ延伸固定構造１７ｂの固定孔１７１ｂと延伸固定構造１８ｂの固定孔（図示せず）を貫通し、それぞれ螺合柱４１ｂと螺合柱５１ｂに螺合されて固定される。
【００２８】
続いて図１及び図６を参照し、図６は、本考案の第４好適実施形態によって提供される耐荷重強化コネクタの斜視説明図である。図１と図６に示すように、本実施例に提供される耐荷重強化コネクタ１００ｃは、第１好適実施例によって提供される耐荷重強化コネクタ１００と類似し、その差異は、耐荷重強化コネクタ１００が２つの側面１３、１４に２つの側辺支持構造２、３をそれぞれ設けるが、耐荷重強化コネクタ１００ｃはコネクタ本体１ｃの２つの側面１３ｃ、１４ｃはそれぞれ５つの側辺支持構造２ｃ（側面１３ｃに配置された５つの側辺支持構造２ｃのみを図示するが、側面１４ｃの５つの側辺支持構造は側辺支持構造２ｃと類似する構造である）を設けることにある。そのうち、本実施形態の側辺支持構造２ｃが５つのみであるが、上面１１ｃにディスプレイカードを挿入し、係止部材固定スタンド１９ｃに設置した係合部材を用いて固定する時、同様に側辺支持構造２ｃによってコネクタ本体１ｃを支える機能も実現でき、且つ側辺支持構造２ｃは５つの形に分かれているので、各側辺支持構造２ｃの間にスペースを有して回路板２００上の他の電子コンポーネントを避けることができる。
【００２９】
続いて図７〜図９を参照し、図７は、本考案の第５好適実施形態によって提供される耐荷重強化コネクタの斜視分解説明図であり、図８は、本考案の第５好適実施形態によって提供される耐荷重強化コネクタの斜視説明図であり、図９は、図８のＢ−Ｂ断面説明図である。図１、図６〜図９に示すように、本実施形態によって提供される耐荷重強化コネクタ１００ｄは、コネクタ本体１ｄ、５つの側辺支持構造２ｄ（１つのみを図示する）、５つの側辺支持構造３ｄ（１つのみを図示する）及び２つの垂直固定部材４ｄ（１つのみを図示する）を含む。
【００３０】
コネクタ本体１ｄは、上面１１ｄ、底面１２ｄ、２つの側面１３ｄ、１４ｄ及び２つの端面１５ｄ（１つのみを図示する）を有し、コネクタ本体１ｄは、係止部材固定スタンド１９ｄを更に含み、上記の第４好適実施例の２つの延伸固定構造１７ｃ、１８ｃを含まない。そのうち、上面１１ｄ、底面１２ｄ、２つの側面１３ｄ、１４ｄ及び２つの端面１５ｄの相対関係は、何れも第１好適実施形態の上面１１、底面１２、２つの側面１３、１４及び２つの端面１５、１６と類似するため、ここでは繰り返し説明しない。５つの側辺支持構造２ｄはそれぞれ側面１３ｄに一体に成形されて接続され、５つの側辺支持構造３ｄは、それぞれ側面１４ｄに一体に成形されて接続される。また、本実施形態では、コネクタ本体１ｄはＳＭＴ（Surface-mount technology、表面接着技術）タイプのコネクタである。
【００３１】
上記を受けて、本実施形態の耐荷重強化コネクタ１００ｄは、上記の第１好適実施形態の耐荷重強化コネクタ１００と比較して、その差異は、本実施形態の２つの垂直固定部材４ｄがどちらも弾性係合部材であることであり、垂直固定部材４ｄを例にとると、垂直固定部材４ｄは、相対設置される固定接続端４１ｄ及び弾性係合端４２ｄを有し、固定接続端４１ｄはコネクタ本体１ｄに固定接続され、弾性係合端４２ｄは、一体に成形されて固定接続端４１ｄから延伸し、且つ弾性係合端４２ｄは、２つの弾性圧縮スペース（図示せず）と係合環４２１ｄを有し、これにより、耐荷重強化コネクタ１００ｄが第２方向Ｄ２に沿って回路板２００に近接して垂直固定部材４ｄの弾性係合端４２ｄが押圧を受けて圧縮変形して回路板固定孔２０３を通過し、回路板固定孔２０３を通過した後に弾性回復して係合環４２１ｄを回路板の固定孔２０３に係合し、耐荷重強化コネクタ１００ｄを回路板２００に係合して固定する。
【００３２】
上記を総合し、従来技術のデュアルスロットのみによって重量が日増しに増加するグラフィックカードを固定し、グラフィックカードがホストと共に運送される時、グラフィックカードは顕著な振動と揺動によってＰＣＩ‐Ｅスロットをマザーボードから根ごと抜ける可能性があることと比較し、本考案の耐荷重強化コネクタは、コネクタ本体の側辺に側辺支持構造が設けられ、垂直固定部材を用いてコネクタ本体を回路板に固定するため、本考案は、側辺支持構造を使用してコネクタ本体を支持するだけでなく、更に垂直固定部材によってコネクタ本体と回路板との間の接続の強度を高め、更にコネクタ本体の耐荷重の能力を向上させる。
【００３３】
上記の好適な具体的実施形態に基づく詳述は、本創作の特徴及び精神をより明確に説明するためのものであり、上記に開示された好適具体的実施形態によって本考案の範疇を制限するものではない。相反して、その目的は、各種変更及び均等性を有するものを本考案が請求しようとする保護範囲に含むことを望むものである。
【符号の説明】
【００３４】
１００、１００ａ、１００ｂ、１００ｃ、１００ｄ  耐荷重強化コネクタ
１、１ａ、１ｂ、１ｃ、１ｄ  コネクタ本体
１１、１１ｃ、１１ｄ  上面
１１１  スロット
１２、１２ｄ  底面
１２１  ピン
１３、１４、１３ｃ、１４ｃ、１３ｄ、１４ｄ  側面
１５、１６、１５ｄ  端面
１７、１８、１７ａ、１８ａ、１７ｂ、１８ｂ、１７ｃ、１８ｃ  延伸固定構造
１７１、１８１、１７１ａ、１８１ａ、１７１ｂ、１８１ｂ  固定孔
１９、１９ａ、１９ｂ、１９ｃ、１９ｄ  係止部材固定スタンド
２、３、２ｃ、２ｄ、３ｄ  側辺支持構造
４、５、４ａ、５ａ、４ｂ、５ｂ、４ｄ  垂直固定部材
４１ａ、４１ｂ、５１ａ、５１ｂ  螺合柱
４２ａ、４２ｂ、５２ａ、５２ｂ  ネジ
４１ｄ  固定接続端
４２ｄ  弾性係合端
４２１ｄ  係合環
２００  回路板
２０１  第１面
２０２  第２面
２０３  回路板固定孔
２０４  回路板固定孔
Ｄ１  第１方向
Ｄ２  第２方向
【図１】
0003229937.tif 000003
【図２】
0003229937.tif 000004
【図３】
0003229937.tif 000005
【図４】
0003229937.tif 000006
【図５】
0003229937.tif 000007
【図６】
0003229937.tif 000008
【図７】
0003229937.tif 000009
【図８】
0003229937.tif 000010
【図９】
0003229937.tif 000011